(57)【特許請求の範囲】
【請求項１】
相互に交差する２つの方向である第１方向と第２方向とに沿ってマトリックス状に並べられた複数の画素上に配置されるタッチパネルであって、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、前記第１主電極線が前記第２主電極線に交差する
タッチパネル。
【請求項２】
前記透明誘電体層は第１の透明誘電体層であり、
第２の透明誘電体層をさらに備え、前記複数の第２電極は前記第２の透明誘電体層の表面に形成されている、
請求項１に記載のタッチパネル。
【請求項３】
前記透明誘電体層は複数層の透明誘電体層を含む、
請求項１に記載のタッチパネル。
【請求項４】
前記透明誘電体層の表面から見て、
前記第１副電極線は、
前記第２主電極線に沿って延び、かつ、相互に隣り合う前記第２電極の間の領域において、前記第２主電極線の延びる方向で途切れている２本の前記第２主電極線を繋ぐ位置に配置され、
前記第２副電極線は、
前記第１主電極線に沿って延び、かつ、相互に隣り合う前記第１電極の間の領域において、前記第１主電極線の延びる方向で途切れている２本の前記第１主電極線を繋ぐ位置に配置される
請求項１から３のいずれか一項に記載のタッチパネル。
【請求項５】
前記透明誘電体層の表面から見て、
前記第１電極と前記第２電極とは、複数の四角形が連続して並べられた格子状のパターンを形成する
請求項１から４のいずれか一項に記載のタッチパネル。
【請求項６】
前記第１方向と前記第２方向とが、相互に直交し、
前記第１主電極線の延びる方向と前記第２主電極線の延びる方向とが、相互に直交し、
前記第１主電極線の延びる方向と前記第１副電極線の延びる方向とが、相互に直交し、
前記第２主電極線の延びる方向と前記第２副電極線の延びる方向とが、相互に直交し、
前記格子状のパターンは、マトリックス状に配置された矩形から構成される
請求項５に記載のタッチパネル。
【請求項７】
前記透明誘電体層の表面において、相互に隣り合う前記第１電極の間の領域に形成され、前記第１主電極線の延びる方向で途切れている２本の前記第１主電極線を前記第１主電極線に沿って断続的に繋ぐ補助電極線をさらに備える
請求項４に記載のタッチパネル。
【請求項８】
相互に交差する２つの方向である第１方向と第２方向とに沿ってマトリックス状に画素が配列された表示パネルと、前記表示パネルに重ねられたタッチパネルと、を備える表示装置であって、
前記タッチパネルは、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、前記第１主電極線が前記第２主電極線に交差する
表示装置。
【請求項９】
前記透明誘電体層は第１の透明誘電体層であり、
前記タッチパネルは第２の透明誘電体層をさらに備え、前記複数の第２電極は前記第２の透明誘電体層の表面に形成されている、
請求項８に記載の表示装置。
【請求項１０】
前記透明誘電体層は複数層の透明誘電体層を含む、
請求項８に記載の表示装置。
【請求項１１】
前記透明誘電体層の表面から見て、
前記第１副電極線は、
前記第２主電極線に沿って延び、かつ、相互に隣り合う前記第２電極の間の領域において、前記第２主電極線の延びる方向で途切れている２本の前記第２主電極線を繋ぐ位置に配置され、
前記第２副電極線は、
前記第１主電極線に沿って延び、かつ、相互に隣り合う前記第１電極の間の領域において、前記第１主電極線の延びる方向で途切れている２本の前記第１主電極線を繋ぐ位置に配置される
請求項８から１０のいずれか一項に記載の表示装置。
【請求項１２】
前記透明誘電体層の表面から見て、
前記第１電極と前記第２電極とは、複数の四角形が連続して並べられた格子状のパターンを形成する
請求項８から１１のいずれか一項に記載の表示装置。
【請求項１３】
前記第１方向と前記第２方向とが、相互に直交し、
前記第１主電極線の延びる方向と前記第２主電極線の延びる方向とが、相互に直交し、
前記第１主電極線の延びる方向と前記第１副電極線の延びる方向とが、相互に直交し、
前記第２主電極線の延びる方向と前記第２副電極線の延びる方向とが、相互に直交し、
前記格子状のパターンは、マトリックス状に配置された矩形から構成される
請求項１２に記載の表示装置。
【請求項１４】
前記透明誘電体層の表面において、相互に隣り合う前記第１電極の間の領域に形成され、前記第１主電極線の延びる方向で途切れている２本の前記第１主電極線を前記第１主電極線に沿って断続的に繋ぐ補助電極線をさらに備える
請求項１１に記載の表示装置。
【発明の詳細な説明】
【技術分野】
【０００１】
本開示の技術は、複数の電極線を備えるタッチパネル、および、タッチパネルを備える表示装置に関する。
【背景技術】
【０００２】
近年、電子機器の入力デバイスとして、静電容量方式のタッチパネルが広く用いられている。静電容量方式のタッチパネルに、Ｘ方向に沿って延びる複数の第１電極と、Ｘ方向に対して直交するＹ方向に沿って延びる複数の第２電極とを備える。それら複数の第１電極線と、複数の第２電極線とは、透明誘電体層を挟んで重ねられている。１つの第１電極と複数の第２電極の各々との間における静電容量の変化が第１電極ごとに検出され、それによってタッチパネルの操作面における指の接触位置が検出される。第１電極及び第２電極を形成する材料には、第１電極及び第２電極における抵抗値を下げるべく、銀や銅などの金属が用いられている（例えば、特許文献１参照）。
【先行技術文献】
【特許文献】
【０００３】
【特許文献１】特開２０１２−７９２３８号公報
【発明の概要】
【発明が解決しようとする課題】
【０００４】
ところで、可視光を吸収、あるいは、反射する金属によって第１電極や第２電極が形成される構成では、タッチパネルの操作面から見て、複数の第１電極と複数の第２電極とが相互に直交した格子状のパターンが視認される。一方で、タッチパネルが積層される表示パネルでも、Ｘ方向とＹ方向とに沿って複数の画素を区画するブラックマトリクスが、格子状のパターンとして視認される。【０００５】
この際に、相互に隣り合う第１電極の間の距離は、相互に隣り合う画素間のＹ方向における距離とは一般に異なり、また、相互に隣り合う第２電極の間の距離も、相互に隣り合う画素間のＸ方向における距離とは異なる。結果として、タッチパネルの操作面から見て、第１電極と第２電極とから形成される格子状のパターンと、画素を区画する格子状のパターンとのずれによる干渉縞が視認されてしまう。【０００６】
本開示の技術は、干渉縞の発生を抑えることの可能なタッチパネル、および、表示装置を提供することを目的とする。
【課題を解決するための手段】
【０００７】
本開示の技術におけるタッチパネルの一態様は、相互に交差する２つの方向である第１方向と第２方向とに沿って並べられた複数の画素上に配置されるタッチパネルであって、透明誘電体層と、前記透明誘電体層の表面において、前記第１方向に沿って延び、前記第２方向に沿って並ぶ複数の第１電極と、前記透明誘電体層の裏面において、前記第２方向に沿って延び、前記第１方向に沿って並ぶ複数の第２電極と、を備える。ここで、前記第１電極は、前記第１方向および前記第２方向と交差する方向に沿って延び、相互に隣り合う前記第１電極の間の領域で途切れる複数の第１主電極線と、相互に異なる複数の前記第１主電極線を繋ぐ複数の第１副電極線とからなる。また、前記第２電極は、前記第１方向および前記第２方向と交差する方向に沿って延び、相互に隣り合う前記第２電極の間の領域で途切れる複数の第２主電極線と、相互に異なる複数の前記第２主電極線を繋ぐ複数の第２副電極線とからなる。前記透明誘電体層の表面から見て、前記第１主電極線が前記第２主電極線に交差する。【０００８】
本開示の技術における表示装置の一態様は、相互に交差する２つの方向である第１方向と第２方向とに沿ってマトリックス状に画素が配列された表示パネルと、前記表示パネルに重ねられたタッチパネルと、を備える表示装置である。前記タッチパネルは、透明誘電体層と、前記透明誘電体層の表面において、前記第１方向に沿って延び、前記第２方向に沿って並ぶ複数の第１電極と、前記透明誘電体層の裏面において、前記第２方向に沿って延び、前記第１方向に沿って並ぶ複数の第２電極と、を備える。ここで、前記第１電極は、前記第１方向および前記第２方向と交差する方向に沿って延び、相互に隣り合う前記第１電極の間の領域で途切れる複数の第１主電極線と、相互に異なる前記複数の第１主電極線間を繋ぐ複数の第１副電極線とからなる。また、前記第２電極は、前記第１方向および前記第２方向と交差する方向に沿って延び、相互に隣り合う前記第２電極の間の領域で途切れる複数の第２主電極線と、相互に異なる前記複数の第２主電極線間を繋ぐ複数の第２副電極線とからなる。前記透明誘電体層の表面から見て、前記第１主電極線が前記第２主電極線に交差する。【０００９】
本開示の技術における一態様によれば、複数の第１主電極線の各々と、複数の第２主電極線の各々とは、第１電極が延びる方向である第１方向、および、第２電極が延びる方向である第２方向と交差する方向に沿って延びる。相互に隣り合う２本の第１主電極線と、相互に隣り合う２本の第２主電極線とによって区画される四角形状のパターンは、透明誘電体層の表面から見て、第１方向、および、第２方向と交差する方向に沿って並ぶ。それゆえに、マトリックス状に並べられた複数の画素上にタッチパネルが重ねられるとき、透明誘電体層の表面から見て、複数の画素の各々が並ぶ方向は、上記四角形状のパターンが並ぶ方向に交差する。結果として、第１電極と第２電極とによって形成されるパターンには、複数の画素の各々を区画する格子状のパターンと斜めに交差する複数の四角形状のパターンが含まれる。そのため、タッチパネルの備える複数の電極線に起因した干渉縞の発生が抑えられる。【００１０】
本開示の技術におけるタッチパネルの他の態様では、前記透明誘電体層の表面から見て、前記第１副電極線は、前記第２主電極線に沿って延び、かつ、相互に隣り合う前記第２電極の間の領域において、前記第２主電極線の延びる方向で途切れている２本の前記第２主電極線を繋ぐ位置に配置される。前記第２副電極線は、前記第１主電極線に沿って延び、かつ、相互に隣り合う前記第１電極の間の領域において、前記第１主電極線の延びる方向で途切れている２本の前記第１主電極線を繋ぐ位置に配置される。【００１１】
本開示の技術におけるタッチパネルの他の態様によれば、透明誘電体層の表面から見て、第２主電極線の途切れている部分は、第１副電極線の像によって繋がれ、第１主電極線の途切れている部分は、第２副電極線の像によって繋がれる。そのため、第２主電極線の延びる方向に沿って並ぶ相互に異なる２本の第２主電極線と、この２本の第２主電極線の間に配置される第１副電極線とによって、１つの直線状をなす像が形成される。また、第１主電極線の延びる方向に沿って並ぶ相互に異なる２本の第１主電極線と、この２本の第１主電極線の間に配置される第２副電極線とによって、１つの直線状をなす像が形成される。それゆえに、相互に隣り合う２つの電極の間の隙間と、相互に隣り合う２つの電極との間で、透明誘電体層の表面から視認される像に違いが生じることが抑えられる。【００１２】
本開示の技術におけるタッチパネルの他の態様では、前記透明誘電体層の表面から見て、前記第１電極と前記第２電極とは、複数の四角形が連続して並べられた格子状のパターンを形成する。【００１３】
本開示の技術におけるタッチパネルの他の態様によれば、透明誘電体層の表面から見て、第１電極と第２電極とによって形成される像は、複数の四角形が連続して並べられた格子状のパターンである。それゆえに、格子の一部が欠けたパターンが像として視認される場合と比較して、視認される像の均質性が高められる。その結果、透明誘電体層の表面から見て、第１電極と第２電極とによって形成される像にムラが生じることが抑えられる。【００１４】
本開示の技術におけるタッチパネルの他の態様では、前記第１方向と前記第２方向とが、相互に直交し、前記第１主電極線の延びる方向と前記第２主電極線の延びる方向とが、相互に直交し、前記第１主電極線の延びる方向と前記第１副電極線の延びる方向とが、相互に直交し、前記第２主電極線の延びる方向と前記第２副電極線の延びる方向とが、相互に直交する。前記格子状のパターンは、マトリックス状に配置された矩形から構成される。【００１５】
本開示の技術におけるタッチパネルの他の態様によれば、透明誘電体層の表面から見て、第１電極と第２電極とによって形成される像は、マトリックス状に配置された複数の矩形からなる格子状のパターンである。そのため、第１電極と第２電極とによって形成される像が、複数の四角形から構成されるパターンであって、かつ、複数の四角形の各々の内角が相互に異なる構成と比較して、第１電極と第２電極とによって形成される像にうねりが発生することが抑えられる。【００１６】
本開示の技術におけるタッチパネルの他の態様では、前記透明誘電体層の表面において、相互に隣り合う前記第１電極の間の領域に形成され、前記第１主電極線の延びる方向で途切れている２本の前記第１主電極線を前記第１主電極線に沿って断続的に繋ぐ補助電極線をさらに備える。【００１７】
本開示の技術におけるタッチパネルの他の態様によれば、透明誘電体層の表面から見て、透明誘電体層の表面に形成される補助電極線は、途切れている２本の第１主電極線を断続的に繋ぎ、かつ、途切れている２本の第１主電極線を繋ぐ第２副電極線の像と重なる。ここで、透明誘電体層の表面から視認される第２副電極線の像は、透明誘電体層を透過する光によって形成されるので、透明誘電体層の透過率が低いほど、第２副電極線の像は不鮮明になる。この点で、上記補助電極線が形成される構成であれば、第２副電極線の像と補助電極線とが重なるので、途切れている２本の第１主電極線を繋ぐ像の一部として、補助電極線は視認される。それゆえに、透明誘電体層の表面から見て、第１電極と第２電極とによって形成される像にムラが生じることが、さらに抑えられる。
【発明の効果】
【００１８】
本開示の技術によれば、タッチパネルの備える複数の電極線に起因した干渉縞の発生が抑えられる。
【図面の簡単な説明】
【００１９】
【図１】本開示の技術の第１および第２の実施形態における表示装置の全体構成を示す断面図である。
【図２】第１および第２の実施形態における表示パネルの備えるカラーフィルタ基板の平面構造を示す平面図である。
【図３】第１の実施形態のタッチパネルにおける複数のドライブ電極の平面構造をドライブ基材と共に示す平面図である。
【図４】第１の実施形態のタッチパネルにおけるドライブ電極の平面構造を示す平面図であって、図３の一部を拡大して示す図である。
【図５】第１の実施形態のタッチパネルにおけるドライブ電極を構成するパターン要素の平面構造を示す平面図である。
【図６】第１の実施形態のタッチパネルにおける複数のセンシング電極の平面構造をセンシング基材と共に示す平面図である。
【図７】第１の実施形態のタッチパネルにおけるセンシング電極の平面構造を示す平面図であって、図６の一部を拡大して示す図である。
【図８】第１の実施形態のタッチパネルにおけるセンシング電極を構成するパターン要素の平面構造を示す平面図である。
【図９】第１の実施形態のタッチパネルにおけるドライブ電極とセンシング電極とを積層方向から見た図であって、ドライブ電極とセンシング電極とによって形成されるパターンを拡大して示す図である。
【図１０】第２の実施形態のタッチパネルにおけるセンシング基材に形成された複数のセンシング電極の平面構造の一部を拡大して示す拡大平面図である。
【図１１】変形例における表示装置の全体構成を示す断面図である。
【図１２】変形例における表示装置の全体構成を示す断面図である。
【発明を実施するための形態】
【００２０】
（第１の実施形態）
図１〜図６を参照して、タッチパネル、および、表示装置の第１の実施形態について説明する。まず、図１を参照して表示装置の全体構成について説明する。
【００２１】
図１に示されるように、表示装置１０は、表示パネル２０と、表示パネル２０の上に接着部材を介して積層されたタッチパネル３０とを備えている。
表示パネル２０は、液晶パネルであり、下側偏光板２１と上側偏光板２７との２枚の偏光板の間に、ＴＦＴ（薄膜トランジスタ）基板２２、カラーフィルタ基板２６、および、ＴＦＴ基板２２とカラーフィルタ基板２６との間に挟まれた液晶層２４を備えている。
【００２２】
ＴＦＴ基板２２と液晶層２４との間には、ＴＦＴ層２３が形成されている。ＴＦＴ層２３には、サブ画素を構成する画素電極がマトリクス状に配置され、アクティブ素子であるＴＦＴがサブ画素ごとに設けられている。カラーフィルタ基板２６と液晶層２４との間には、共通電極を有するカラーフィルタ層２５が配置されている。カラーフィルタ層２５では、サブ画素に対向する矩形の領域がブラックマトリクスによって区画され、ブラックマトリックスによって区画される各領域には、白色光を赤色、緑色、青色のいずれかの色の光に変換する着色層が形成されている。
【００２３】
タッチパネル３０は、表示パネル２０におけるカラーフィルタ基板２６寄りの偏光板である上側偏光板２７に積層されている。タッチパネル３０は、静電容量の変化を検出するための複数の電極線を備えるセンサー層３１と、センサー層３１に積層されて表示装置１０の表面である操作面を構成するカバー層３２とから構成されている。
【００２４】
センサー層３１は、第２電極としての複数のドライブ電極４０と、第１電極としての複数のセンシング電極５０とを備えている。ドライブ電極４０は、ガラスや樹脂フィルム等からなるドライブ基材３３の上に形成され、例えば、ドライブ基材３３の表面に成膜された銅膜や銀膜等の金属薄膜がエッチングされることによって形成されている。センシング電極５０は、ガラスや樹脂フィルム等からなるセンシング基材３４の上に形成され、例えば、センシング基材３４の表面に成膜された金属薄膜がエッチングされることによって形成されている。すなわち、タッチパネル３０では、センシング基材３４の表面に、センシング電極５０が形成され、センシング基材３４の裏面に、ドライブ電極４０が形成されている。
【００２５】
センサー層３１は、ドライブ基材３３の上にセンシング基材３４が接着部材を介して積層されることによって形成される。センシング基材３４は、ドライブ電極４０とセンシング電極５０との間の透明誘電体層として機能し、ドライブ電極４０には、センシング基材３４の電荷を充放電させる選択信号が印加される。センシング電極５０からは、ドライブ電極４０とセンシング電極５０との間の静電容量の大きさに応じた検出信号が出力される。
【００２６】
カバー層３２は強化ガラスや合成樹脂等から形成され、接着部材を介してセンサー層３１に貼り付けられる。
図２を参照して、表示パネル２０におけるカラーフィルタ層２５の平面構造について説明する。図２は、カラーフィルタ層２５が形成されたカラーフィルタ基板２６の平面図である。
【００２７】
図２に示されるように、カラーフィルタ層２５では、ブラックマトリクス２８によって、縦軸と横軸とが直交する格子状のパターンが形成されている。ブラックマトリクス２８によって区画された矩形の領域には、赤色用の着色層２９Ｒと、緑色用の着色層２９Ｇと、青色用の着色層２９Ｂのいずれかの着色層２９が形成されている。同じ色用の着色層２９は、１つの方向に沿って並べられている。同じ色用の着色層２９が並べられる方向が、Ｙ方向として設定されると、Ｙ方向と直交するＸ方向に沿って、青色用の着色層２９Ｂと、緑色用の着色層２９Ｇと、赤色用の着色層２９Ｒとが、この順に繰り返して配置されている。すなわち、カラーフィルタ層２５では、同じ色用の着色層２９がＹ方向に沿って延びるストライプ状に並べられている。着色層２９の上には、図示されない共通電極が全面に形成される。
【００２８】
複数の着色層２９の各々は、ＴＦＴ層２３におけるサブ画素に対応付けられ、Ｘ方向に沿って並ぶ３色の着色層２９が１つの画素を構成し、複数の画素の各々はＹ方向に沿ってストライプ状に並べられている。また、カラーフィルタ層２５において、マトリクス状に並べられた複数の矩形からなる格子状のパターンは、ストライプ状に並べられた複数の画素の各々を、画素の配列に対応した画素パターンとして区画している。なお、Ｘ方向における画素の幅である画素幅Ｐｘ、および、Ｙ方向における画素の幅である画素幅Ｐｙは、表示装置に要求される解像度等に応じて適宜設定される。
【００２９】
図３〜図８を参照して、ドライブ電極４０の平面構造、および、センシング電極５０の平面構造について説明する。まず、図３〜図５を参照して、ドライブ電極４０の平面構造について説明する。なお、図４、および、図５では、説明の便宜上、相互に直交する複数の破線からなるグリッドと共にドライブ電極４０を示す。
【００３０】
図３に示されるように、複数のドライブ電極４０の各々は、Ｙ方向と直交するＸ方向に沿って延び、Ｙ方向に沿って間隔をあけて並べられている。複数のドライブ電極４０の各々は、それのＸ方向の一端において端子部４３に接続され、複数の端子部４３の各々は、ドライブ電極４０を選択する選択回路に接続されている。
【００３１】
複数のドライブ電極４０の各々は、相互に異なる方向に沿って延びる２種類の電極線、すなわち、複数の第２主電極線４１と、複数の第２副電極線４２とから構成されている。複数のドライブ電極４０の各々では、複数の第２主電極線４１と複数の第２副電極線４２とが網目状に接続されている。
【００３２】
相互に隣り合う２つのドライブ電極４０の間の隙間は、ドライブ電極間領域Ｓｓとして設定される。ドライブ電極間領域Ｓｓは、電極線の形成されていない領域であり、相互に隣り合う２つのドライブ電極４０を電気的に絶縁する。
【００３３】
図４に示されるように、複数のドライブ電極４０の各々において、複数の第２主電極線４１の各々は、Ｘ方向に沿って延びる第１直線Ａｓと交差する方向に沿って延び、かつ、相互に平行な直線である。複数の第２主電極線４１の各々と第１直線Ａｓとのなす角度θは、９０°以外の角度に設定され、相互に隣り合う２本の第２主電極線４１の間の距離は、格子定数αとして設定されている。
【００３４】
複数の第２副電極線４２の各々は、第１直線Ａｓ、および、第２主電極線４１と交差する方向に沿って延びる相互に平行な直線であって、複数の第２副電極線４２の各々と第２主電極線４１とのなす角度は、９０°に設定されている。
【００３５】
複数の第２副電極線４２の各々は、Ｘ方向に沿って相互に隣り合う３本の第２主電極線４１に接続され、Ｘ方向に沿って相互に隣り合う３本の第２主電極線４１は、相互に異なる２本の第２副電極線４２によって接続されている。ドライブ電極４０が形成する網目状のパターンでは、相互に隣り合う３本の第２主電極線４１と、相互に隣り合う２本の第２副電極線４２とによって、１つの第２パターン要素が構成され、複数の第２パターン要素がＸ方向に沿って繰り返し配置されている。
【００３６】
相互に隣り合う２つのドライブ電極４０の間では、第２主電極線４１の延びる方向において２本の第２主電極線４１が相互に向かい合い、相互に向かい合う２本の第２主電極線４１の間の第１距離Ｌ１は、第１距離Ｌ１＝２×格子定数αを満たしている。換言すれば、複数のドライブ電極４０の各々における第２主電極線４１は、１つの方向に沿って延びる１つの電極線から、ドライブ電極間領域Ｓｓに相当する部分として、第１距離Ｌ１の線分が切り取られた形状に形成されている。
【００３７】
なお、複数の第２主電極線４１の各々の長さの最小単位が、格子定数αに設定されるので、１つのドライブ電極４０において第２主電極線４１の端部を結ぶ線Ｂｓは、第２主電極線４１ごとに九十九折り状に屈曲する。ドライブ電極間領域ＳｓのＹ方向における第１幅Ｗ１の変化は、Ｘ方向に沿って並ぶ第２パターン要素ごとに繰り返し配置される。
【００３８】
図５を参照してドライブ電極４０における第２パターン要素について説明する。
図５に示されるように、１つの第２パターン要素において、Ｘ方向に沿って相互に隣り合う３本の第２主電極線４１うち、Ｘ方向における中央の第２主電極線４１は、中央第２主電極線４１ｂとして設定される。また、図５において、中央第２主電極線４１ｂの右側に配置される第２主電極線４１は、先端側第２主電極線４１ａとして設定され、中央第２主電極線４１ｂの左側に配置される第２主電極線４１は、基端側第２主電極線４１ｃとして設定される。
【００３９】
また、１つの第２パターン要素において、Ｘ方向に沿って相互に隣り合う２本の第２副電極線４２のうち、図５において右側に配置される第２副電極線４２は、先端側第２副電極線４２ｂとして設定され、図５において左側に配置される第２副電極線４２は、基端側第２副電極線４２ａとして設定される。
【００４０】
また、３本の第２主電極線４１の各々の両端部と、２本の第２副電極線４２の各々の両端部とにおいて、図５において右側の端部は、先端部として設定され、図５において左側の端部は、基端部として設定される。
【００４１】
１つの第２パターン要素において、先端側第２主電極線４１ａと基端側第２主電極線４１ｃとは、中央第２主電極線４１ｂの中点を対象中心とする形状に形成されている。また、１つの第２パターン要素において、基端側第２副電極線４２ａと先端側第２副電極線４２ｂとは、これもまた中央第２主電極線４１ｂの中点を対象中心とする形状に形成されている。
【００４２】
詳述すると、中央第２主電極線４１ｂの長さＤ２は、長さＤ２＝１２×格子定数αを満たし、先端側第２主電極線４１ａの長さＤ１、および、基端側第２主電極線４１ｃの長さＤ３は、長さＤ１＝長さＤ３＝１３×格子定数αを満たしている。基端側第２副電極線４２ａの長さＤ４、および、先端側第２副電極線４２ｂの長さＤ５は、長さＤ４＝長さＤ５＝２×格子定数αを満たしている。
【００４３】
先端側第２主電極線４１ａにおける先端部には、先端側第２副電極線４２ｂの先端部が接続され、先端側第２主電極線４１ａにおける先端部のうち、先端側第２副電極線４２ｂとの接続部位からはみ出す部分の長さｄ２は、長さｄ２＝６×格子定数αを満たしている。また、先端側第２主電極線４１ａにおける基端部には、基端側第２副電極線４２ａの先端部が接続され、先端側第２主電極線４１ａにおける基端部のうち、基端側第２副電極線４２ａとの接続部位からはみ出す部分の長さｄ１は、長さｄ１＝格子定数αを満たしている。先端側第２主電極線４１ａにおいて、先端側第２副電極線４２ｂとの接続部位と、基端側第２副電極線４２ａとの接続部位との間の長さｄ７は、長さｄ７＝６×格子定数αを満たしている。
【００４４】
中央第２主電極線４１ｂにおける先端部は、先端側第２副電極線４２ｂの中央部と交差し、中央第２主電極線４１ｂにおける先端部のうち、先端側第２副電極線４２ｂと交差する部位からはみ出す部分の長さｄ４は、長さｄ４＝３×格子定数αを満たしている。また、中央第２主電極線４１ｂにおける基端部は、基端側第２副電極線４２ａの中央部と交差し、中央第２主電極線４１ｂにおける基端部のうち、基端側第２副電極線４２ａと交差する部位からはみ出す部分の長さｄ３は、長さｄ３＝３×格子定数αを満たしている。中央第２主電極線４１ｂにおいて、先端側第２副電極線４２ｂと交差する部位と、基端側第２副電極線４２ａと交差する部位との間の長さｄ８は、長さｄ８＝６×格子定数αを満たしている。
【００４５】
基端側第２主電極線４１ｃにおける先端部には、先端側第２副電極線４２ｂの基端部が接続され、基端側第２主電極線４１ｃにおける先端部のうち、先端側第２副電極線４２ｂとの接続部位からはみ出す部分の長さｄ６は、長さｄ６＝格子定数αを満たしている。また、基端側第２主電極線４１ｃにおける基端部には、基端側第２副電極線４２ａの基端部が接続され、基端側第２主電極線４１ｃにおける基端部のうち、基端側第２副電極線４２ａとの接続部位からはみ出す部分の長さｄ５は、長さｄ５＝６×格子定数αを満たしている。基端側第２主電極線４１ｃにおいて、先端側第２副電極線４２ｂとの接続部位と、基端側第２副電極線４２ａとの接続部位との間の長さｄ９は、長さｄ９＝６×格子定数αを満たしている。
【００４６】
図６〜図８を参照して、センシング電極５０の平面構造について説明する。なお、図７、および、図８では、説明の便宜上、相互に直交する複数の破線からなるグリッドと共にセンシング電極５０を示す。
【００４７】
図６に示されるように、複数のセンシング電極５０の各々は、ドライブ電極４０と比較して、電極の延びる方向と、電極の並べられる方向とが異なる。すなわち、複数のセンシング電極５０の各々は、Ｙ方向に沿って延び、Ｙ方向と直交するＸ方向に沿って間隔をあけて並べられている。複数のセンシング電極５０の各々は、それのＹ方向の一端において端子部５３に接続され、複数の端子部５３の各々は、静電容量の変化を検出する検出回路に接続されている。
【００４８】
複数のセンシング電極５０の各々は、相互に異なる方向に沿って延びる２種類の電極線、すなわち、複数の第１主電極線５１と、複数の第１副電極線５２とから構成されている。複数のセンシング電極５０の各々では、複数の第１主電極線５１と複数の第１副電極線５２とが網目状に接続されている。
【００４９】
相互に隣り合う２つのセンシング電極５０の間の隙間は、センシング電極間領域Ｓｄとして設定される。センシング電極間領域Ｓｄは、電極線の形成されていない領域であり、相互に隣り合う２つのセンシング電極５０を電気的に絶縁する。
【００５０】
図７に示されるように、複数のセンシング電極５０の各々において、複数の第１主電極線５１の各々は、Ｙ方向に沿って延びる第２直線Ａｄと交差する方向に沿って延び、かつ、相互に平行な直線である。複数の第１主電極線５１の各々と第２直線Ａｄのなす角度は、上記角度θに設定され、相互に隣り合う２本の第１主電極線５１の間の距離は、上記格子定数αに設定されている。
【００５１】
複数の第１副電極線５２の各々は、第２直線Ａｄ、および、第１主電極線５１と交差する方向に沿って延びる相互に平行な直線であって、複数の第１副電極線５２の各々と第１主電極線５１とのなす角度は、９０°に設定されている。表示装置１０の表面から見て、センシング電極５０の第１主電極線５１は、ドライブ電極４０の第２副電極線４２と同じ方向に沿って延び、センシング電極５０の第１副電極線５２は、ドライブ電極４０の第２主電極線４１と同じ方向に沿って延びている。
【００５２】
複数の第１副電極線５２の各々は、Ｙ方向に沿って相互に隣り合う３本の第１主電極線５１に接続され、Ｙ方向に沿って相互に隣り合う３本の第１主電極線５１は、相互に異なる２本の第１副電極線５２によって接続されている。
【００５３】
センシング電極５０が形成する網目状のパターンでは、相互に隣り合う３本の第１主電極線５１と、相互に隣り合う２本の第１副電極線５２とによって、１つの第１パターン要素が構成され、複数の第１パターン要素がＹ方向に沿って繰り返し配置されている。センシング電極５０における第１パターン要素は、ドライブ電極４０における第２パターン要素がＸＹ平面内において９０°回転されたパターンである。
【００５４】
相互に隣り合う２つのセンシング電極５０の間では、第１主電極線５１の延びる方向において２本の第１主電極線５１が相互に向かい合い、相互に向かい合う２本の第１主電極線５１の間の第２距離Ｌ２は、第２距離Ｌ２＝２×格子定数αを満たしている。換言すれば、複数のセンシング電極５０の各々における第１主電極線５１は、１つの方向に沿って延びる１つの電極線から、センシング電極間領域Ｓｄに相当する部分として、第２距離Ｌ２の線分が切り取られた形状に形成されている。
【００５５】
なお、複数の第１主電極線５１の各々の長さの最小単位が、格子定数αに設定されるので、１つのセンシング電極５０において第１主電極線５１の端部を結ぶ線Ｂｄは、第１主電極線５１ごとに九十九折り状に屈曲する。センシング電極間領域ＳｄのＸ方向における第２幅Ｗ２の変化は、Ｙ方向に沿って並ぶ第１パターン要素ごとに繰り返し配置される。
【００５６】
図８を参照してセンシング電極５０における第１パターン要素について説明する。
図８に示されるように、１つの第１パターン要素において、Ｙ方向に沿って相互に隣り合う３本の第１主電極線５１うち、Ｙ方向における中央の第１主電極線５１は、中央第１主電極線５１ｂとして設定される。また、図８において、中央第１主電極線５１ｂの下側に配置される第１主電極線５１は、基端側第１主電極線５１ａとして設定され、中央第１主電極線５１ｂの上側に配置される第１主電極線５１は、先端側第１主電極線５１ｃとして設定される。
【００５７】
また、１つの第１パターン要素において、Ｙ方向に沿って相互に隣り合う２本の第１副電極線５２のうち、図８において下側に配置される第１副電極線５２は、基端側第１副電極線５２ｂとして設定され、図８において上側に配置される第１副電極線５２は、先端側第１副電極線５２ａとして設定される。
【００５８】
また、３本の第１主電極線５１の各々の両端部と、２本の第１副電極線５２の各々の両端部とにおいて、図８において下側の端部は、基端部として設定され、図８において上側の端部は、先端部として設定される。
【００５９】
１つの第１パターン要素において、基端側第１主電極線５１ａと先端側第１主電極線５１ｃとは、中央第１主電極線５１ｂの中点を対象中心とする形状に形成されている。また、１つの第１パターン要素において、先端側第１副電極線５２ａと基端側第１副電極線５２ｂとは、これもまた中央第１主電極線５１ｂの中点を対象中心とする形状に形成されている。
【００６０】
詳述すると、中央第１主電極線５１ｂの長さＤ７は、長さＤ７＝１２×格子定数αを満たし、基端側第１主電極線５１ａの長さＤ６、および、先端側第１主電極線５１ｃの長さＤ８は、長さＤ６＝長さＤ８＝１３×格子定数αを満たしている。先端側第１副電極線５２ａの長さＤ９、および、基端側第１副電極線５２ｂの長さＤ１０は、それぞれ長さＤ９＝長さＤ１０＝２×格子定数αを満たしている。
【００６１】
基端側第１主電極線５１ａにおける先端部には、先端側第１副電極線５２ａの基端部が接続され、基端側第１主電極線５１ａにおける先端部のうち、先端側第１副電極線５２ａとの接続部位からはみ出す部分の長さｄ１１は、長さｄ１１＝格子定数αを満たしている。また、基端側第１主電極線５１ａにおける基端部には、基端側第１副電極線５２ｂの基端部が接続され、基端側第１主電極線５１ａにおける基端部のうち、基端側第１副電極線５２ｂとの接続部位からはみ出す部分の長さｄ１２は、長さｄ１２＝６×格子定数αを満たしている。基端側第１主電極線５１ａにおいて、先端側第１副電極線５２ａとの接続部位と、基端側第１副電極線５２ｂとの接続部位との間の長さｄ１７は、長さｄ１７＝６×格子定数αを満たしている。
【００６２】
中央第１主電極線５１ｂにおける先端部は、先端側第１副電極線５２ａの中央部と交差し、中央第１主電極線５１ｂにおける先端部のうち、先端側第１副電極線５２ａと交差する部位からはみ出す部分の長さｄ１３は、長さｄ１３＝３×格子定数αを満たしている。また、中央第１主電極線５１ｂにおける基端部は、基端側第１副電極線５２ｂの中央部と交差し、中央第１主電極線５１ｂにおける基端部のうち、基端側第１副電極線５２ｂと交差する部位からはみ出す部分の長さｄ１４は、長さｄ１４＝３×格子定数αを満たしている。中央第１主電極線５１ｂにおいて、先端側第１副電極線５２ａと交差する部位と、基端側第１副電極線５２ｂと交差する部位との間の長さｄ１８は、長さｄ１８＝６×格子定数αを満たしている。
【００６３】
先端側第１主電極線５１ｃにおける先端部には、先端側第１副電極線５２ａの先端部が接続され、先端側第１主電極線５１ｃにおける先端部のうち、先端側第１副電極線５２ａとの接続部位からはみ出す部分の長さｄ１５は、長さｄ１５＝６×格子定数αを満たしている。また、先端側第１主電極線５１ｃにおける基端部には、基端側第１副電極線５２ｂの先端部が接続され、先端側第１主電極線５１ｃにおける基端部のうち、基端側第１副電極線５２ｂとの接続部位からはみ出す部分の長さｄ１６は、長さｄ１６＝格子定数αを満たしている。先端側第１主電極線５１ｃにおいて、先端側第１副電極線５２ａとの接続部位と、基端側第１副電極線５２ｂとの接続部位との間の長さｄ１９は、長さｄ１９＝６×格子定数αを満たしている。
【００６４】
図９を参照してドライブ電極４０とセンシング電極５０とによって形成される電極パターンについて説明する。なお、図９では、説明の便宜上、透明誘電体層であるセンシング基材３４の表面から見て、すなわち、表示装置１０の表面から見て、センシング基材３４の上側に配置される複数のセンシング電極５０の各々が白抜きの中空線として示され、センシング基材３４の下側に配置される複数のドライブ電極４０の各々が中実線として示されている。
【００６５】
図９に示されるように、表示装置１０の表面から見て、第２主電極線４１と第１副電極線５２とは、１つの直線上に配置され、かつ、第２副電極線４２と第１主電極線５１とは、これもまた１つの直線上に配置されている。
【００６６】
表示装置１０の表面から見て、相互に隣り合う２本の第２主電極線４１と、相互に隣り合う２本の第１主電極線５１とは、１つの正方形を単位格子として区画している。第２主電極線４１と第１主電極線５１とによって区画される単位格子では、各辺の長さが上記格子定数αである。
【００６７】
上述のように、単位格子の一辺を構成する第２主電極線４１と、Ｘ方向に沿って延びる第１直線Ａｓとは、角度θをなして交差し、単位格子の一辺を構成する第１主電極線５１と、Ｙ方向に沿って延びる第２直線Ａｄとは、これもまた角度θをなして交差する。そのため、第２主電極線４１と第１主電極線５１とによって区画される複数の単位格子の各々は、２本の第１直線Ａｓと２本の第２直線Ａｄとによって区画される正方形に対し、ＸＹ平面において角度θの傾きを有している。
【００６８】
表示装置１０の表面から見て、第２副電極線４２は、センシング電極間領域Ｓｄに配置され、第１主電極線５１の延びる方向に沿って並ぶ２本の第１主電極線５１の間の隙間は、この第２副電極線４２によって補完されている。表示装置１０の表面から見て、第１主電極線５１の延びる方向に沿って並ぶ２本の第１主電極線５１と、この２本の第１主電極線５１間の隙間を補完する第２副電極線４２とによって、１つの直線形状の像が形成されている。
【００６９】
表示装置１０の表面から見て、第１副電極線５２は、ドライブ電極間領域Ｓｓに配置され、第２主電極線４１の延びる方向に沿って並ぶ２本の第２主電極線４１の間の隙間は、この第１副電極線５２によって補完されている。表示装置１０の表面から見て、第２主電極線４１の延びる方向に沿って並ぶ２本の第２主電極線４１と、この２本の第２主電極線４１間の隙間を補完する複数の第１副電極線５２とによって、１つの直線形状の像が形成されている。
【００７０】
表示装置１０の表面から見て、ドライブ電極４０の像とセンシング電極５０の像との重なりからなる像では、第１直線Ａｓに対して角度θをなす方向に沿って、複数の単位格子が連続し、かつ、第２直線Ａｄに対して角度θをなす方向に沿って、複数の単位格子が連続している。
【００７１】
なお、表示装置１０の表面から見て、ドライブ電極間領域Ｓｓとセンシング電極間領域Ｓｄとの重なる領域、すなわち、ドライブ電極４０の電極線とセンシング電極５０の電極線の両方が視認されない領域は、その大きさが単位格子よりも小さい。そのため、ドライブ電極４０の像とセンシング電極５０の像との重なりからなる像として、切れ目のない格子状の電極パターンが形成されている。
【００７２】
タッチパネル３０、および、表示装置１０の作用について説明する。
タッチパネル３０には、上記単位格子の繰り返しからなる格子状の電極パターンが、ドライブ電極４０の像とセンシング電極５０の像との重なりからなる像として形成されている。この際に、第２主電極線４１と第１主電極線５１とによって区画される複数の単位格子の各々は、２本の第１直線Ａｓと２本の第２直線Ａｄとによって区画される正方形に対し、ＸＹ平面において角度θの傾きを有している。また、複数の単位格子の各々は、ドライブ電極４０の延びるＸ方向と交差する方向に沿って連続し、かつ、センシング電極５０の延びるＹ方向と交差する方向に沿って連続している。
【００７３】
ここで、表示装置１０では、ドライブ電極４０の延びる方向であるＸ方向と、センシング電極５０の延びる方向であるＹ方向とが、マトリックス状に並ぶ画素の配列方向として設定されている。それゆえに、表示装置１０の表面から見て、複数の単位格子の各々を区画する直線状の像は、複数の画素の各々を区画する直線状の像に対し、９０°以外の傾きを有して斜めに交差する。その結果、従来のように、電極パターンを構成する直線と、画素パターンを構成する直線とが相互に平行である構成と比較して、電極パターンを構成する直線と、画素パターンを構成する直線とのずれが不鮮明となる。表示パネル２０とタッチパネル３０とが重ねられた状態において、干渉縞の発生が抑えられる。ひいては、表示装置１０における画質の低下が抑えられ、さらには、干渉縞を抑えるためのフィルム等を表示装置１０に別途設ける必要がないので、表示装置１０の製造工程が簡素化される。
【００７４】
また、表示装置１０の表面から見て、ドライブ電極間領域Ｓｓでは、第２主電極線４１の延びる方向に沿って並ぶ２本の第２主電極線４１の間の隙間が、第１副電極線５２の像によって繋がれている。また、センシング電極間領域Ｓｄでは、第１主電極線５１の延びる方向に沿って並ぶ２本の第１主電極線５１の間の隙間が、第２副電極線４２の像によって繋がれている。それゆえに、表示装置１０の表面から見て、ドライブ電極間領域Ｓｓとドライブ電極４０との間、あるいは、センシング電極間領域Ｓｄとセンシング電極５０との間で、視認される像の違いが生じることが抑えられる。結果として、電極パターンの均質性が高められ、表示装置１０における画質の低下が抑えられる。すなわち、ドライブ電極４０とセンシング電極５０が相補的に構成され、電極パターンが切れ目のない格子状に形成されるので、表示装置１０の表面から見て、一方の電極のみが配置される領域と、２つの電極が重なる領域と、電極が形成されない領域との間で、視認される像の違いが生じることが抑えられる。
【００７５】
また、電極パターンでは、第２主電極線４１の延びる方向、および、第１主電極線５１の延びる方向に沿って、正方形である単位格子が連続して並んでいる。それゆえに、格子の一部が欠けた像が電極パターンとして視認される場合と比較して、視認される像の均質性が高められる。その結果、表示装置１０の表面から見て、ドライブ電極４０の像とセンシング電極５０の像との重なりからなる像にムラが生じることが抑えられる。また、電極パターンが折れ線や曲線を含む場合等、電極パターンが矩形でない四角形から形成される場合と比較して、電極パターンにうねりが生じることが抑えられる。これによっても、表示装置１０における画質の低下が抑えられる。
【００７６】
［実施例］
電極パターンの寸法を下記電極条件に設定して実施例のタッチパネルを作成した。また、画素パターンの寸法を下記画素条件に設定して実施例の表示パネルを作成した。タッチパネルと表示パネルとを重ねることによって実施例の表示装置を作成した。実施例の表示装置に対し、干渉縞の発生について、目視による官能評価によって評価を行った。その結果、下記電極条件および下記画素条件が満たされる範囲において、干渉縞の発生が好適に抑えられることが認められた。
【００７７】
［電極条件］
・格子定数α                    ：０．３０ｍｍ以上、０．３２ｍｍ以下
・角度θ                        ：３０°以上、４０°以下
［画素条件］
・画素幅Ｐｘ，画素幅Ｐｙ        ：（８４μｍ，２５２μｍ）
以上説明したように、第１の実施形態によれば、以下の効果が得られる。
【００７８】
（１）表示装置１０の表面から見て、表示パネル２０の画素を区画する直線と、タッチパネル３０の電極パターンを構成する直線とが斜めに交わるので、干渉縞の発生が抑えられる。
【００７９】
（２）第２主電極線４１の延びる方向に沿って並ぶ２本の第２主電極線４１の間の隙間は、１本の第１副電極線５２の像によって補完される。また、第１主電極線５１の延びる方向に沿って並ぶ２本の第１主電極線５１の間の隙間は、１本の第２副電極線４２の像によって補完される。それゆえに、ドライブ電極間領域Ｓｓとドライブ電極４０との間、あるいは、センシング電極間領域Ｓｄとセンシング電極５０との間で、視認される像の違いが生じることが抑えられる。
【００８０】
（３）表示装置１０の表面から見て、電極パターンが切れ目のない格子状であるので、格子の一部が欠けたパターンと比較して、電極パターンにムラが生じることが抑えられる。
【００８１】
（４）電極パターンが矩形の繰り返しからなる格子状であるので、格子が矩形以外の四角形から構成される場合と比較して、電極パターンにうねりが発生することが抑えられる。
【００８２】
（第２の実施形態）
図１０を参照して、第２の実施形態のタッチパネル、および、表示装置について、第１の実施形態との相違点を中心に説明する。なお、第２の実施形態は、センシング基材に形成された電極線の形状が第１の実施形態とは異なるので、以下では、センシング基材に形成された電極線の平面構造を中心に説明し、第１の実施形態と同様の構成については同じ符号を付してその説明を省略する。
【００８３】
図１０に示されるように、センシング基材上におけるセンシング電極間領域Ｓｄには、複数の補助電極線５４が形成される。複数の補助電極線５４の各々は、第１主電極線５１の延びる方向に沿って並ぶ２本の第１主電極線５１の間の隙間に配置され、２本の第１主電極線５１を断続的に繋いでいる。第１主電極線５１の延びる方向に沿って並ぶ２本の第１主電極線５１は、第１の実施形態と同じく電気的に絶縁されている。
【００８４】
したがって、表示装置１０の表面から見て、第１主電極線５１の延びる方向に沿って並ぶ２本の第１主電極線５１の間の隙間には、第２副電極線４２が配置され、複数の補助電極線５４の各々は、この第２副電極線４２と重なる位置に配置されている。
【００８５】
ここで、表示装置１０の表面から視認される第２副電極線４２の像は、センシング基材を透過する光によって形成されるので、センシング基材の透過率が低いほど、第２副電極線４２の像は不鮮明になる。この点で、上記補助電極線５４が形成される構成であれば、第２副電極線４２の像と補助電極線５４とが重なるので、途切れている２本の第１主電極線５１を繋ぐ像の一部として、補助電極線５４は視認される。それゆえに、表示装置１０の表面から見て、ドライブ電極４０とセンシング電極５０とによって形成される像にムラが生じることが、さらに抑えられる。また、ドライブ電極４０とセンシング電極５０とに位置のずれが生じている場合であっても、補助電極線５４によって格子状の電極パターンが補正されるので、格子状のパターンが崩れて見えることが抑制される。その結果、表示装置１０における画質の低下が抑えられる。
【００８６】
以上説明したように、第２の実施形態によれば、上記（１）〜（４）の効果に加えて、以下の効果が得られる。
（５）第１主電極線５１の延びる方向に沿って並ぶ２本の第１主電極線５１の間の隙間が、補助電極線５４によって断続的に繋がれるので、センシング電極間領域Ｓｄにおける電極パターンの像にムラが生じることが抑えられる。
【００８７】
（変形例）
上記実施形態は、以下のように変更して実施することが可能である。
・電極パターンは、マトリックス状に配列された正方形から構成されるパターンに限らず、正方形以外の矩形やひし形から構成されてもよい。例えば、パターン要素における主電極線４１，５１の長さや副電極線４２，５２の長さ、これらの電極線の配置は、上述の態様と異なってもよく、パターン要素ごとに異なってもよい。また、主電極線４１，５１と副電極線４２，５２とのなす角度は９０°でなくてもよいし、ドライブ電極４０とセンシング電極５０との間では、格子定数αや角度θが相互に異なってもよい。また、ドライブ電極４０あるいはセンシング電極５０において、格子定数αや角度θが一定でなくてもよい。
【００８８】
・電極パターンは、格子の一部が欠けた形状でもよい。例えば、ドライブ電極間領域Ｓｓとセンシング電極間領域Ｓｄとの重なる領域の大きさが、単位格子よりも大きくてもよい。また、表示装置１０の表面から見て、ドライブ電極４０の第２副電極線４２が、隣り合うセンシング電極５０における第１主電極線５１の切れ目となる部分に配置されていなくてもよく、第１主電極線５１の切れ目となる部分以外の部分に配置されていてもよい。また、センシング基材３４の表面から見て、センシング電極５０の第１副電極線５２が、隣り合うドライブ電極４０における第２主電極線４１の切れ目となる部分に配置されていなくてもよく、第２主電極線４１の切れ目となる部分以外の部分に配置されていてもよい。
【００８９】
・ドライブ電極４０における第２主電極線４１の端部を結ぶ線Ｂｓが直線であって、ドライブ電極間領域ＳｓのＹ方向の第１幅Ｗ１が一定であってもよい。また、センシング電極５０における第１主電極線５１の端部を結ぶ線Ｂｄが直線であって、センシング電極間領域ＳｄのＸ方向の第２幅Ｗ２が一定であってもよい。
【００９０】
要は、上記変形例では、主電極線４１，５１が、ドライブ電極４０の延びる方向と交差する方向であって、かつ、センシング電極５０の延びる方向と交差する方向に延びる構成であればよい。こうした構成であれば、表示装置１０の表面から見て、電極パターンを構成する直線と画素パターンを構成する直線とが斜めに交わる部分が生じる。したがって、電極パターンの縦線と画素パターンの縦線とが平行であり、電極パターンの横線と画素パターンの横線とが平行である場合と比較して、干渉縞の発生が抑えられる。
【００９１】
・第２の実施形態において、補助電極線５４は、表示装置１０の表面から見て、第２主電極線４１と重なる部分にも配置されてもよい。
・第２の実施形態において、ドライブ基材３３上にも、ドライブ電極４０の第２主電極線４１の延びる方向に沿って並ぶ２本の第２主電極線４１の間の隙間に、２本の第２主電極線４１を断続的に繋ぐ補助電極線が形成されていてもよい。また、２本の第１主電極線５１を断続的に繋ぐ補助電極線が省略されて、２本の第２主電極線４１を断続的に繋ぐ補助電極線のみが形成されてもよい。
【００９２】
・第１及び第２の実施形態では、ドライブ基材３３の表面にドライブ電極４０が形成され、センシング基材３４の表面にセンシング電極５０が形成されている。これに代えて、タッチパネル３０の製造工程では、１つの透明誘電体層が基材として用いられ、基材の裏面にドライブ電極４０が形成され、かつ、基材の表面にセンシング電極５０が形成されてもよい。例えば、図１１に示すように、センシング基材３４の表面にセンシング電極５０が形成され、センシング基材３４の裏面にドライブ電極４０が形成されてもよい。
【００９３】
・タッチパネル３０では、ドライブ電極４０と、センシング電極５０とが、これらの製造工程において用いられた基材とは異なる透明誘電体層を挟む構成でもよい。例えば、図１２に示すように、センシング基材３４の表面にセンシング電極５０が形成され、ドライブ基材３３の裏面にドライブ電極４０が形成され、ドライブ基材３３の上にセンシング基材３４が接着部材を介して積層されてもよい。
【００９４】
・センシング電極５０が、第２電極として透明誘電体層の裏面に形成され、ドライブ電極４０が、第１電極として透明誘電体層の表面に形成されてもよい。要するに、タッチパネル３０は、透明誘電体層の表面において、第１方向に沿って延び、第１方向と交差する第２方向に沿って並ぶ複数の第１電極と、透明誘電体層の裏面において、第２方向に沿って延び、第１方向に沿って並ぶ複数の第２電極とを備える構成であればよい。
【００９５】
・表示パネル２０における画素配列は、ストライプ状に限らず、モザイク状やデルタ状であってもよい。要するに、ドライブ電極４０の延びる方向が、画素の並ぶ方向として設定され、かつ、センシング電極５０の延びる方向が、画素の並ぶ方向として設定される構成であればよい。
【００９６】
・表示パネル２０に用いられる表示素子は、液晶素子に限られず、例えば、有機ＥＬ素子等の自発光素子であってもよく、要するに、表示パネル２０は、複数の画素の各々が格子状に区画される構成であればよい。ドライブ電極４０の延びる方向に沿った直線と、センシング電極５０の延びる方向に沿った直線とが、相互に直交して、複数の画素の各々を格子状に区画する構成であれば、表示パネルとタッチパネル３０とが重ねられた表示装置において、干渉縞の発生が抑えられる。
【符号の説明】
【００９７】
１０…表示装置、２０…表示パネル、２１…下側偏光板、２２…ＴＦＴ基板、２３…ＴＦＴ層、２４…液晶層、２５…カラーフィルタ層、２６…カラーフィルタ基板、２７…上側偏光板、２８…ブラックマトリクス、２９…着色層、３０…タッチパネル、３１…センサー層、３２…カバー層、３３…ドライブ基材、３４…センシング基材、４０…ドライブ電極、４１…第２主電極線、４２…第２副電極線、４３，５３…端子部、５０…センシング電極、５１…第１主電極線、５２…第１副電極線、５４…補助電極線。
【図１】
0005910761.tif 000002
【図２】
0005910761.tif 000003
【図３】
0005910761.tif 000004
【図４】
0005910761.tif 000005
【図５】
0005910761.tif 000006
【図６】
0005910761.tif 000007
【図７】
0005910761.tif 000008
【図８】
0005910761.tif 000009
【図９】
0005910761.tif 000010
【図１０】
0005910761.tif 000011
【図１１】
0005910761.tif 000012
【図１２】
0005910761.tif 000013